(57)【要約】【課題】カートリッジ以外の構成で転写体を供給する場合においても、容易に転写体を交換できる状態に容器を開放し得る転写具を提供する。【解決手段】転写具は、被転写体に転写される転写物を一方の面に離脱可能に備える転写体を収納する第一ケース部材４と、第一ケース部材４をほぼ閉鎖する第二ケース部材５と、第一ケース部材４と第二ケース部材５とを開閉の際のそれぞれの回転軸線を相違させて独立して回転し得る状態に接続する接続部材７とを備えてなる。【選択図】図２
2008290434.tif 000002
【特許請求の範囲】
【請求項１】
被転写体に転写される転写物を一方の面に離脱可能に備える転写体を収納する第一ケース部材と、
第一ケース部材をほぼ閉鎖する第二ケース部材と、
第一ケース部材と第二ケース部材とを開閉の際のそれぞれの回転軸線を相違させて独立して回転し得る状態に接続する接続部材とを備えてなる転写具。
【請求項２】
被転写体に転写される転写物を一方の面に離脱可能に備える転写体を収納する第一ケース部材と、
第一ケース部材をほぼ閉鎖する第二ケース部材と、
第一ケース部材と第二ケース部材とを平行な二本の回転軸線の周りにそれぞれ独立して回転可能な状態に接続する接続部材とを備えてなる転写具。
【請求項３】
第二ケース部材が、第二ケース部材と接続部材とのなす角度が９０°以下になることを規制する回転規制片を備えてなる請求項１又は２記載の転写具。
【請求項４】
接続部材が、第一ケース部材の下縁に接続される第一回転軸部と、第二ケース部材の下縁に接続される第二回転軸部とを備えてなる請求項１、２又は３記載の転写具。
【請求項５】
回転規制片は、第一回転軸部に接触することにより接続部材に対する第二ケース部材の回転を規制する請求項３又は４記載の転写具。
【請求項６】
第一ケース部材が、接続部材の回転を止める下壁を有する請求項２、３、４又は５記載の転写具。
【請求項７】
第一ケース部材に第二ケース部材を開閉可能に係合させる係合手段をさらに備えてなり、
係合手段が、第一ケース部材の内面に第二ケース部材の外面が重なり合う第一係合部と、第一部材の外面に第二部材の内面が重なり合う第二係合部とに形成される請求項２〜６のいずれか一つに記載の転写具。
【請求項８】
係合手段はそれぞれ、最初に係合が解消される解消開始側から少なくとも開口端近傍の未解消側に向かって連続して解消される部分が展開するように形成される請求項７記載の転写具。
【請求項９】
係合手段は、線条の凸部と線条の凹部とからなり、凸部が凹部に嵌ることにより第一ケース部材に第二ケース部材を係合させる請求項７又は８記載の転写具。
【請求項１０】
凹部の断面形状はほぼ矩形であり、凸部の断面形状は、係合の解消を開始する端部において解消する方向に傾斜する傾斜面を備え、開始する端部と反対側の端部において凹部の断面形状とほぼ同一の断面形状を有する請求項９記載の転写具。
【発明の詳細な説明】
【技術分野】
【０００１】
本発明は、転写物を転写対象物に転写する際に用いる転写具に関するものである。
【背景技術】
【０００２】
従来、例えば封筒を封緘する場合に用いるのりや、誤記した部分や不要な記載を抹消する場合に用いる修正材などを、紙やフィルムなどに塗布（転写）する転写具が知られている。このような転写具は、例えば容器本体と蓋体とからなる容器内に、転写ヘッド、転写ヘッドを覆うキャップ及び転写テープを備えるカートリッジを、交換可能に装填する構成のものが知られている（特許文献１）。
【０００３】
この特許文献１に記載されている転写具では、容器本体と蓋体とをヒンジ部により接続し、転写ヘッドを突出させる容器本体の前端開口部の近傍に形成した係止ピンを、カートリッジに設けられた貫通孔を通した状態で、その係止ピンの先端に蓋体に設けた係合部を係合させて、蓋体を容器本体に閉じた状態を維持するように構成してある。
【特許文献１】特開２００６−２４８１８３号公報
【発明の開示】
【発明が解決しようとする課題】
【０００４】
ところで、特許文献１のものでは、蓋体は容器本体に、容器本体に設けられた係止突起に、蓋体に設けられた係合孔を係合させて形成されるヒンジ部により回転可能に接続されるものであるため、蓋体は容器本体に対してほぼ垂直な位置までしか開かない。つまり、容器本体を例えば机の天板において蓋体を開いても、蓋体が起立する側は容器本体の側面に壁ができることになる。このため、カートリッジを取り替える場合に、蓋体がそのように容器本体の側面に起立しないものに比較して、作業が難しくなる場合があった。
【０００５】
そこで本発明は、カートリッジ以外の構成で転写体を供給する場合においても、容易に転写体を交換できる状態に容器を開放し得る転写具を提供することを目的としている。
【課題を解決するための手段】
【０００６】
すなわち、本発明の転写具は、被転写体に転写される転写物を一方の面に離脱可能に備える転写体を収納する第一ケース部材と、第一ケース部材をほぼ閉鎖する第二ケース部材と、第一ケース部材と第二ケース部材とを開閉の際のそれぞれの回転軸線を相違させて独立して回転し得る状態に接続する接続部材とを備えてなることを特徴とする。
【０００７】
接続部材としては、第一ケース部材と第二ケース部材とを開放した場合に、 第一ケース部材と第二ケースとが同一平面上に位置することを可能にする構成のものであれば、形状及び材質は限定されるものではない。接続部材は、対向する一方の縁部に第一ケース部材が取り付けられ、他方の縁部に第二ケースが取り付けられる構成が好ましい。この場合、第一ケース部材と第二ケースとの回転軸線が位置するそれぞれの縁部、言い換えればそれぞれの回転軸線は、必ずしも平行である必要はなく、遠距離点で交差するものであってもよい。また、このような接続部材は、剛性のある硬質素材、可撓性のある軟質素材のいずれからつくられるものであってもよい。加えて、接続部材は、上述した回転軸線以外の位置つまりそれら二本の回転軸線の間に、一又は複数の回転軸あるいは折り曲げ部を備えるものであってよい。
【０００８】
また、本発明の転写具は、被転写体に転写される転写物を一方の面に離脱可能に備える転写体を収納する第一ケース部材と、第一ケース部材をほぼ閉鎖する第二ケース部材と、第一ケース部材と第二ケース部材とを平行な二本の回転軸線の周りにそれぞれ独立して回転可能な状態に接続する接続部材とを備えてなることを特徴とする。
【０００９】
このような構成によれば、第一ケース部材と第二ケース部材とはそれぞれ独立して回転することにより、接続部材を挟んでその両側に位置することが可能になる。つまり、第二ケース部材は、第一ケース部材に干渉しない位置に開くことが可能になる。このため、第一ケース部材に対する転写体の出し入れを容易にすることが可能になる。
【００１０】
第二ケース部材を閉める操作を容易にするためには、第二ケース部材が、第二ケース部材と接続部材とのなす角度が９０°以下になることを規制する回転規制片を備えてなるものが好ましい。
【００１１】
接続部材としては、具体的には、第一ケース部材の下縁に接続される第一回転軸部と、第二ケース部材の下縁に接続される第二回転軸部とを備えてなるものが挙げられる。又、回転規制片は、第一回転軸部に接触することにより接続部材に対する第二ケース部材の回転を規制するものが挙げられる。加えて、第一ケース部材が、接続部材の回転を止める下壁を有するものであれば、回転規制片により回転が規制された第二ケース部材に容易に相対することが可能になる。
【００１２】
上記の構成において、第一ケース部材を第二ケース部材で閉鎖した状態で、第二ケース部材がその閉鎖位置より移動することを確実に防止するためには、第一ケース部材に第二ケース部材を開閉可能に係合させる係合手段をさらに備えてなり、係合手段が、第一ケース部材の内面に第二ケース部材の外面が重なり合う第一係合部と、第一部材の外面に第二部材の内面が重なり合う第二係合部とに形成されるものが挙げられる。このような係合手段は、係合手段はそれぞれ、最初に係合が解消される解消開始側から少なくとも開口端近傍の未解消側に向かって連続して解消される部分が展開するように形成されるものが好ましい。
【００１３】
具体的には、係合手段は、線条の凸部と線条の凹部とからなり、凸部が凹部に嵌ることにより第一ケース部材に第二ケース部材を係合させるものが挙げられる。さらに、凹部の断面形状はほぼ矩形であり、凸部の断面形状は、係合の解消を開始する端部において解消する方向に傾斜する傾斜面を備え、開始する端部と反対側の端部において凹部の断面形状とほぼ同一の断面形状を有するものが望ましい。
【発明の効果】
【００１４】
本発明は、以上説明したような構成であり、第一ケース部材と第二ケース部材とはそれぞれ独立して回転することにより、接続部材を挟んでその両側に位置することができ、第二ケース部材は、第一ケース部材に干渉しない位置に開くことができる。したがって、第一ケース部材に対する転写体の出し入れを容易にすることができる。
【発明を実施するための最良の形態】
【００１５】
以下、本発明の第一実施形態を、図１〜１０を参照して説明する。
【００１６】
この実施形態の転写具は、被転写体に転写される転写物を帯部材たる帯状のフィルムの一方の面に剥離可能に備える転写体（以下、テープと称する）１と、未使用の転写体１が巻き付けられる供給リール２と、使用済みの転写体１のフィルムを巻き取る巻き取りリール３と、供給リール２及び巻き取りリール３を回転可能な状態で収納する第一ケース部材４と、第一ケース部材４内に配置され供給リール３の回転力を巻き取りリール２に伝達する伝達機構（図示しない）と、第一ケース部材４をほぼ閉鎖する第二ケース部材５と、第二ケース部材５により閉じられる第一ケース部材４から突出して転写体１に接触可能な転写ヘッド６とを主要な構成要素としている。
【００１７】
なお、以下の説明において、「前」とは、特別な限定がない限り、転写ヘッド６がある側を指し、「後」とは転写ヘッドとは反対の側、言い換えれば転写ヘッド６から供給リール２及び巻き取りリール３側を指すものである。また、伝達機構は、当該分野でよく知られているものであってよく、詳細な説明を割愛すると共に、図示しない。伝達機構としては、例えば供給リール２を回転させた場合にその回転力を巻き取りリール３に伝達し得る、二枚のギアにより構成されるものが挙げられる。加えて、転写物としては、糊や、被転写体である紙面あるいはフィルムに書かれたり印刷された文字や図形などを修正する修正インキ塗膜などであってもよい。
【００１８】
この実施形態にあっては、第一ケース部材４と第二ケース部材５とをケースとして機能させるために、蝶番として機能する接続部材７により第一ケース部材４と第二ケース部材５とをそれぞれ独立して回転可能に接続する。第一ケース部材４と第二ケース部材５とは、図１に示すように、正面から見た場合、その上側外郭が卵の外形に近似する円弧形状をなすと共に、下側外郭は平面において自立するように直線形状にしてある。このような外郭にすることにより、例えば筆記具を使用する場合と同様の感覚で、使用することができる。
【００１９】
第一ケース部材４は、主壁８と、その主壁８に一体に形成されて主壁８を取り巻く側壁９と、接続部材７の第一取付部１０とを備えている。主壁８の内面には、供給リール２と巻き取りリール３とを伝達機構を介して回転し得るように支持する第一回転軸１１と第二回転軸１２とが、主壁８に一体に形成してある。第一回転軸１１と第二回転軸１２とは略円筒形状に形成してあり、第二ケース部材５を閉じた際に、その先端に、第二ケース部材５に形成された軸受け凸部１３が嵌る構造である。
【００２０】
第一ケース部材４の側壁９は、正面から見た場合、円弧形状をしている。側壁９には、係合手段１４を構成する前溝１５及び後溝１６がそれぞれ、側壁９の前後部分、すなわち転写ヘッド６の近傍となる前部分と転写ヘッド６から遠く第二回転軸１２側の後部分の二カ所に設けてある。前溝１５は側壁９の前部分の外面に設けられ、後溝１６は側壁９の後部分の内面に設けられるもので、図５の（ａ）〜（ｅ）に示すように、それぞれの断面形状は連続的に変化するように形成されている。すなわち、前溝１５は、前端側部分では、図５の（ａ）に示すように、ほぼ矩形の断面形状であり、後端部分に近づくにしたがって、図５の（ｂ）及び（ｃ）に示すように、第一ケース部材４の内側に位置する内側壁１７が傾斜する断面形状になるよう形成してある。これに対して、後溝１６は、図５の（ｅ）に示すように、後端側部分ではほぼ矩形の断面形状であり、前端部分に近づくにしたがって、図５の（ｄ）に示すように、第一ケース部材４の内側に位置する内側壁１８が傾斜する断面形状になるよう形成してある。
【００２１】
第一ケース部材４の側壁９の前溝１５と後溝１６と間の中間位置には、ラッチ機構１９を構成する凹部２０が形成してある。凹部２０は、側壁９に半円状に切り欠かれた切欠部２１より主壁８側に設けてある。この凹部２０の断面形状は矩形で、第二ケース部材５に形成される、ラッチ機構１９を構成する爪部２２の先端が係合するものである。
【００２２】
第一取付部１０は、接続部材７の厚みにほぼ等しい深さを有する取付凹部２３を備えている。取付凹部２３の前及び後内壁２４，２５には、接続部材７の第一ケース部材５側の軸部として機能する突起２６，２７が形成してある。この第一取付部１０には、後述する第二ケース部材５に形成される回転規制片２８が位置する矩形切欠２９が形成してある。
【００２３】
主壁８の下前部分には側壁９が設けてなく、開口端となっており、その側壁９のない開口端から突出するように転写ヘッド６が一体に形成してある。転写ヘッド６は、その先端に取り付けられるローラ３０と、ローラ３０を回転可能に支持する腕部３１と、腕部３１を支持する台部３２とを備えており、腕部３１及び台部３２が第一ケース部材４に対して片持ち構造で形成してある。台部３２における先端とは反対側の後端部分、すなわち台部３２を構成する取付ビーム部５５には、その取付ビーム部５５の中心軸線と交差するように、第二ケース部材５の第一ケース部材４に対する回転方向と軸線をほぼ一致して縦リブ３４が形成してある。具体的には、縦リブ３４は、第一ケース部材４の下壁３３に対してほぼ直角となる方向に延びて、取付ビーム部５５に交差するものである。
【００２４】
第二ケース部材５は、第一ケース部材４を実質的に塞ぐ蓋壁３５と、その蓋壁３５に一体に形成されて第一ケース部材４の側壁９と重なり合う第一側壁３６及び第二側壁３７と、第一側壁３６と第二側壁３７との間に配置されて弾性変形することにより第一ケース部材４の凹部２０と係合するラッチ機構１９を構成する爪部２２と、接続部材７の第二取付部３８と、接続部材７の回転を規制する回転規制片２８とを備えている。爪部２２は、実際に凹部２０に係合する係合端３９と、凹部２０と係合している係合端３９の係合を解除する外力を受ける操作端４０とを備えている。操作端４０の平面形状は、切欠部２１の形状に対応させてある。
【００２５】
第一側壁３６の内面には、係合手段１４を構成する前凸条４１が設けてあるとともに、第二側壁３７の外面には係合手段１４を構成する後凸条４２が設けてある。前凸条４１は、蓋壁３５側の側壁４３が第一側壁３６の内面に対する角度を連続して変化させるように形成してある。具体的には、前凸条４１の蓋壁３５側つまり外側の側壁４３は、図８の（ｆ）、（ｇ）及び（ｈ）に示すように、その前端側においては第一側壁３６の内面にほぼ垂直に形成され、後方に向かうにつれて蓋壁３５から遠ざかるように傾斜して形成される。一方、後凸条４２は、このような前凸条４１とは反対に、図８の（ｋ）及び（ｍ）に示すように、蓋壁３５側の側壁４４が、その後端側においては第二側壁３７の外面にほぼ垂直に形成され、前方に向かうにつれて蓋壁３５から遠ざかるように傾斜して形成される。なお、前凸条４１及び後凸条４２の外側の側壁４５，４６は、それぞれの凸条４１，４２が溝１５，１６と係合する際の操作力を緩和するために、外側が低くなるように傾斜している。
【００２６】
第二取付部３８は、第一取付部１０と同様に、接続部材７の厚みにほぼ等しい深さを有する取付凹部４７を備えている。取付凹部４７の前及び後内壁４８，４９には、接続部材７の第二ケース部材５側の軸部として機能する突起５０，５１が形成してある。
【００２７】
この第二取付部３８を横切るようにして、接続部材７の回転を規制する回転規制片２８が設けてある。回転規制片２８は、第二ケース部材５を接続部材７に対して９０°を上回る角度を離して開いた状態から第二ケース部材５を閉める方向に回転させた際に、第二ケース部材５の回転を規制するものである。すなわち、第二ケース部材５を例えばほぼ１８０°に開いた状態でほぼ水平な場所に置き、第二ケース部材５を接続部材７の第二ケース部材５側の第二回転軸部５２を中心に回転させると、第二ケース部材５がほぼ水平な姿勢からほぼ垂直な姿勢にまで移動する。そして、第二ケース部材５をほぼ垂直な姿勢からさらに第一ケース部材４側に回転させようとする場合に、回転規制片２８が接続部材７にあたって、第二ケース部材５側の第二回転軸部５２を中心にしてそれ以上に第二ケース部材５が回ることがない。この場合に、回転規制片２８により回転を規定された第二ケース部材５は、接続部材７の第一ケース部材４側に位置する第一回転軸部５３を中心に回転することになる。
【００２８】
このような第二ケース部材５においてさらに、第二ケース部材５の転写ヘッド６に対応する下前部分には、転写ヘッド６の縦リブ３４を支持する支持部としての細隙５４が形成してある。細隙５４は、第二ケース部材５の第一ケース部材４に対する回転方向と軸線をほぼ一致して、言い換えれば、第一ケース部材４の下壁３３の延びる方向を水平方向とした場合に、水平方向に直交する上下方向に形成される。細隙５４には、第二ケース部材５が閉じられた際に、縦リブ３４が嵌るものである。この縦リブ３４の支持部である細隙５４に対して、縦リブ３４に対して斜めに交わる、転写ヘッド６の台部３２を構成する取付ビーム部５５が嵌る傾斜細隙５６が一体に形成してある。
【００２９】
このように、取付ビーム部５５に、第一ケース部材４の下壁３３の延びる方向を水平方向とした場合に、水平方向に直交する上下方向に縦リブ３４を形成し、その縦リブ３４が第二ケース部材５を閉鎖することにより細隙５４に支持されることにより、転写ヘッド６の腕部３１にかかる外力により取付ビーム部５５が上下方向に回転することが抑制される。したがって、使用時において、転写ヘッド６に上向きの力が作用しても、取付ビーム部５５が回転しないため、テープ１の被転写物への接触を良好に保つことができる。このため、転写物を精度よく転写することができる。
【００３０】
接続部材７は、軟質もしくは弾性体の合成樹脂素材により形成される。接続部材７は、蝶番として機能する蝶番本体５７と、蝶番本体５７の前端側に一体に形成されるカバー位置決め部５８と、カバー位置決め部５８に一体に形成され転写ヘッド６を覆うヘッドカバー５９とからなる。蝶番本体５７は、ほぼ長方形の板状のものであり、その長方形状の平行な長辺に沿って第一回転軸部５３及び第二回転軸部５２を備えている。すなわち、蝶番本体５７は、その上面の中央部分が周囲より凹んでおり、周囲に段部を形成することにより第一回転軸部５３と第二回転軸部５２とを形成する構造になっている。
【００３１】
そして、第一回転軸部５３の両端に形成される凹部６０，６１が第一ケース部材４の第一取付部１０の突起２６，２７と係合することにより、また第二回転軸部５２の両端に形成される凹部６２，６３が第二ケース部材５の第二取付部３８の突起５０，５１と係合することにより、第一ケース部材４と第二ケース部材５とを相互に回転可能に接続するものである。使用時にあっては、蝶番本体５７の第一回転軸部５３と第二回転軸部５２との間の表面を回転規制片２８が接触しながら移動し、第一回転軸部５３に回転規制片２８が接触することにより第二ケース部材５の回転を規制するものである。
【００３２】
係止部であるカバー位置決め部５８は、蝶番本体５７より狭い幅を有し、その両外側に延びる一対の位置決め片６４を有している。それぞれの位置決め片６４は、第一ケース部材４に第二ケース部材５が閉じられた時に、第一ケース部材４と第二ケース部材５との内側面にそれぞれ係合し（支持され）、カバー位置決め部５８が弾性変形することを防いでいる。この一対の位置決め片６４により、仮にヘッドカバー５９を引っ張っても、カバー位置決め部５８は下側に撓むことはない。
【００３３】
ヘッドカバー５９は、蝶番本体５７に、カバー位置決め部５８を介して折り返し可能に設けてある。カバー位置決め部５８とヘッドカバー５９との間に、部材の厚みを薄くした肉薄部分６５を形成し、その肉薄部分６５を、ヘッドカバー５９の蝶番として機能させる。ヘッドカバー５９には貫通孔６６が設けてあり、その貫通孔６６に対してカバー位置決め部５８の下面つまり外面には係止突起６７が設けてある。ヘッドカバー５９をカバー位置決め部５８の裏面に対面するように折り畳んだ際に、貫通孔６６に係止突起６７が嵌って、ヘッドカバー５９がカバー位置決め部５８の裏面に取り外し可能に止められる。
【００３４】
このように、ヘッドカバー５９を、蝶番本体５７とカバー位置決め部５８と肉薄部分６６と一体に形成することにより、製造する部品の数を削減することができ、組立工数や製造費を低減することができる。また、接続部材７のように、使用中に分離することがない部品つまり蝶番本体５７と一体とすることにより、ヘッドカバー５９を他所に置き忘れて紛失するといった不具合が生じることを防ぐことができる。したがって、使用しない場合に、転写ヘッド６を確実に覆うことができる。
【００３５】
以上の構成において、第二ケース部材５が閉じてある状態、つまり第一ケース部材４と第二ケース部材５とがラッチ機構１９により操作なく開放し得ないように施錠され、かつ係合手段１４により第一ケース部材４と第二ケース部材５とが係合されている状態では、係合手段１４は、それぞれの溝１５，１６にそれぞれの凸条４１，４２が嵌り込んでいる。したがって、第一ケース部材４と第二ケース部材５とは、二カ所に設けてある係合手段１４により、側壁９と第一及び第二側壁３６，３７のほぼ全長において、強固に閉鎖された状態が維持されるものである。
【００３６】
使用にあたっては、ヘッドカバー５９を肉薄部分６５の位置を折り目にして、カバー位置決め部５８の下面にあたるまで折り返す。そして、ヘッドカバー５９の貫通孔６６に係止突起６７を挿入して、ヘッドカバー５９をカバー位置決め部５８につなぎ止める。このようにヘッドカバー５９を転写ヘッド６から開くことで、転写ヘッド６にかけられたテープ１が露出し、転写物を被転写物に転写することが可能になる。
【００３７】
転写物を被転写物に転写する場合、転写具をその上下方向つまり側壁９と接続部材７の蝶番本体５７とを、例えば親指を上位置にして親指と人差し指とで挟み込む。この場合に、第一ケース部材４と第二ケース部材５とに上下方向に力が加わるため、例えば第二ケース部材５が外側に膨らむように変形しようとする。しかしながら、第一ケース部材４の側壁９と第二ケース部材５の第一及び第二側壁３６，３７とが係合手段１４により係合しているので、上下方向から加わった力では係合が解除されることはない。このため、ラッチ機構１９の前後において、第一ケース部材４と第二ケース部材５との間に隙間が生じることはない。したがって、転写ヘッド６近傍の剛性が低くなることがなく、適切な転写物の転写作業を行うことができ、また使用中にケース内に異物が侵入するなどの不具合を確実に防止することができる。
【００３８】
第一ケース部材４と第二ケース部材５との係合を解消する場合は、操作端４０を押して係合端３９が凹部２０との係合を解消することでラッチ機構１９を解除し、その状態で第一ケース部材４と第二ケース部材５とが離れる方向に、第一ケース部材４と第二ケース部材５とに相反する方向の引っ張り力を加える。加えられた引っ張り力は係合手段１４である前後溝１５，１６及び前後凸条４１，４２に作用し、第一ケース部材４と第二ケース部材５との係合を解除する。この場合、前後溝１５，１６及び前後凸条４１，４２は、上述した断面形状をしているので、ラッチ機構１９に近い前溝１５及び前凸条４１の後端側と、同じくラッチ機構１９に近い後溝２６及び後凸条４２の前端側において、容易に係合が解除される。そして、ラッチ機構１９側から順次係合の解除が進み、解除された部分により引き起こされるようにして、前溝１５及び前凸条４１のそれぞれの前端、及び後溝１６及び後凸条４２のそれぞれの後端まで連続して係合が解除されるものである。したがって、第一ケース部材４と第二ケース部材５とは、その前端側言い換えれば転写ヘッド６の近傍と後端側とにおいて強固に係合しているが、ラッチ機構１９を解除した後に引っ張り力を加えることにより比較的容易に開放することができるものである。
【００３９】
この場合、第一ケース部材５３は、第一回転軸部５３により接続部材７の外側にほぼ９０°回転させることができ、同様に、第二ケース部材５は、第一ケース部材５３の回転方向とは反対方向に、第二回転軸部５２により接続部材７の外側にほぼ９０°回転させることができる。この結果、接続部材７に対して第一ケース部材５３と第二ケース部材５２とがそれぞれほぼ９０°外側に回転することにより、接続部材７を挟んでその両側に第一ケース部材５３と第二ケース部材５２とが位置する。
【００４０】
つまり、第一ケース部材４と第二ケース部材５とは、接続部材７により接続されているので、ケースを開いた場合、言い換えれば第二ケース部材５を開いた場合に、第一ケース部材４と第二ケース部材５とを同じ平面上におくことができる。したがって、第一ケース部材５３の側方に第二ケース部材５２が壁となって、テープ１を交換する場合の障害になることがなく、テープ１の交換を容易にすることができる。
【００４１】
ケースを開いた後、テープ１を取り出して、新しいテープ１を交換するに際しては、供給リール２と巻き取りリール３とを第一ケース部材４内の取付位置と同じに仮に配置する転写体装填補助具であるテープパスガイド６８を使用する。テープパスガイド６８は、
供給リール２と巻き取りリール３とを使用時の間隔をあけて仮保持するリール保持部６９と、リール保持部６９の供給リール２から引き出されたテープ１を案内する変形可能な、先端が所定距離離れた一対の案内片７０とからなる。このテープパスガイド６８においては、リール保持部６９に仮保持される供給リール２から引き出され一対の案内片７０により案内された後再度供給リール２に巻かれたテープ１に接触するまでのテープ１の長さを、供給リール２から引き出され転写ヘッド６に接触した後再度供給リール２に巻かれたテープ１に接触するまでのテープ１の長さとほぼ等しくなるように、リール保持部６９に対して案内片７０を配置している。
【００４２】
リール保持部６９は、基台７１と、基台７１にほぼ垂直に立てられる供給リール用軸７２及び巻き取りリール用軸７３と、供給リール用軸７２の周りに離れて設けられ供給リール２と係合する少なくとも一対の第一係合片７４と、巻き取りリール用軸７３の周りに離れて設けられ巻き取りリール３と係合する複数の第二係合片７５とを備えている。供給リール用軸７２と巻き取りリール用軸７３との間隔は、テープ１を装填する転写具の第一回転軸１１と第二回転軸１２との間隔とほぼ一致させてある。
【００４３】
このようなリール保持部６９において、供給リール２に供給リール用軸７２を挿入すると、供給リール２の中心部に放射状に形成される補強リブ間に第一係合片７４が挿入されて、供給リール２の回転が止められるものである。同様にして、巻き取りリール３に巻き取りリール用軸７３を挿入すると、巻き取りリール３の中心部に放射状に形成される補強リブ間に第二係合片７５が挿入されて、巻き取りリール３の回転が止められるものである。この場合に、第二係合片７５は、第一係合片７４に比べて細いものを複数設けているので、巻き取りリール３の仮保持位置を微調整することができ、テープ１に弛みができるのを防止することができる。
【００４４】
一対の案内片７０は、その先端間に位置するテープ１をリール保持部６９から遠ざかる方向に引っ張った際に、テープ１の張力により変形してそれぞれの先端が接近する構成である。すなわち、案内片７０は、弾性変形可能な薄板からなり、リール保持部６９に仮保持された供給リール２から引き出されたテープ１が、転写ヘッド６にかけられた場合に、弛まないテープ長さとなるように、その長さと先端間距離が設定してある。すなわち、案内片７０により案内されるテープの長さが、供給リール２及び巻き取りリール３が使用し得る状態に第一ケース部材５３に装着された場合に、テープ１が供給リール２から引き出される位置から転写ヘッド６を介して供給リール２に巻かれているテープ１に接する位置までの長さにほぼ等しくなるよう、各案内片７０及び案内片７０の先端間距離が設定してある。なお、この案内片は、テープ１に張力がかけられ、先端が所定距離以上に接近した場合に、折れて脱落するものであってもよい。
【００４５】
テープパスガイド６８を使用してテープ１を第一ケース部材４に装着する場合、テープパスガイド６８に供給リール２と巻き取りリール３とを取り外し可能に装着する。転写具に装填するテープ１は、転写物が外側になるようにして供給リール２に巻かれており、供給リール２から引き出された端が、巻き取りリール３に既に巻き取られている。まず、適当な長さのテープ１を、供給リール２から繰り出しておく。その状態で、供給リール用軸７２と第一係合片７４とにより供給リール２を基台７１に取り付ける。次に、巻き取りリール３を引っ張りながら、案内片７０の先端間にテープ１を掛け渡す。さらにテープ１を引っ張って、案内片７０の先端間に掛け渡したテープ１に弛みがない状態を形成して、巻き取りリール用軸７３と第二係合片７５とにより巻き取りリール３を基台７１に取り付ける。この場合に、供給リール２から引き出され、案内片７０を介して巻き取りリール３に至るまでのテープ１が、どの部分においても弛まないように巻き取りリール３を取り付けるものである。
【００４６】
このようにしてテープパスガイド６８にテープ１を取り付けておき、転写ヘッド６のローラ３０に案内片７０の先端間にかけられたテープ１部分を引っかける。そして、テープパスガイド６８を第一ケース部材４の中側に向かって引っ張り、供給リール２と巻き取りリール３とが第一ケース部材４の第一及び第二回転軸１１，１２に取り付ける。この時、それぞれの案内片７０はテープ１の張力により弾性的に変形し、ローラ３０に接触することなく互いに接近する。この結果、第一ケース部材４に供給リール２と巻き取りリール３とが取り付けられた状態で、転写ヘッド６を中心として、供給リール２から転写ヘッド６に向かう部分のテープ１と、転写ヘッド６から供給リール２に巻かれたテープ１に接して巻き取りリール３に向かう部分のテープ１において、弛みは生じない。この後、テープパスガイド６８を供給リール２と巻き取りリール３とから取り外すことによって、テープ１の装着が完了する。
【００４７】
このように、テープパスガイド６８を使用すれば、転写ヘッド６のローラ３０にテープ１を引っかけた状態でテープ１を装着できるので、テープが弛むことを確実に防止することができる。又、供給リール２と巻き取りリール３との単位でテープ１を交換することができるので、廃棄する部品を最小限に抑えることができる。したがって、コストの上昇を抑制することができる。
【００４８】
そして、このようにテープ１を取り替えた後に開かれている第二ケース部材５を閉じる場合、第二ケース部材５のラッチ機構１９の操作端４０辺りを持ち上げると、第二ケース部材５は接続部材７の第二回転軸部５２を回転軸として回転する。この時、蝶番本体５７は、第一ケース部材４に対して回転していない。そして第二ケース部材５が接続部材７に対してほぼ垂直な姿勢になった時点で、回転規制片２８の先端が蝶番本体５７第一回転軸部５３に突き当たることによって、第二ケース部材５の回転は規制され、第二ケース部材５は接続部材７に対してほぼ９０°離れた位置に止められる。
【００４９】
このようにして第二ケース部材５の回転が規制された後に第二ケース部材５をさらに回転させると、第二ケース部材５の回転に伴って蝶番本体５７が第二ケース部材５と一緒になって、接続部材７の第一回転軸部５３を回転軸として回転する。そして、蝶番本体５７が第一ケース部材５３の下壁３３に突き当たるまで、第二ケース部材５と蝶番本体５７とがほぼ直角の関係を保ちながら、第一ケース部材４に対して第二ケース部材５を回転させる。この結果、第二ケース部材５が、第一ケース部材４に重なり第一ケース部材４を閉鎖する。
【００５０】
このように、回転規制片２８があるので、第二ケース部材５を持って第二ケース部材５を回転させても、第二ケース部材５が第一ケース部材４に倒れ込むことがない。つまり、第二ケース部材５は、開ききった状態から接続部材７に対してほぼ９０°の角度まで回転した後は、その位置での姿勢を保ったまま回転をさせることができる。このため、第二ケース部材５が第一ケース部材４に対して突き当たって、回転し得ない状態になることを確実に防止することができる。したがって、第一ケース部材４と第二ケース部材５とをほぼ１８０°離して開くことができるにもかかわらず、一本の回転軸の周りに二つの部材を回転させる通常の蝶番が使用されている場合と同様に閉じる操作をすることができる。
【００５１】
なお、本発明は、以上に詳述した実施形態に限られるものではない。
【００５２】
接続部材７を構成する蝶番本体５７は、第一ケース部材４と第二ケース部材５との上側における側壁部分に配置されるものであってもよい。この場合、接続部材７とヘッドカバー５９とは別部材で構成するものである。接続部材７は軟質の合成樹脂により形成するので、使用時に、接続部材７の部分が転写具の握り部分となり、使い勝手を向上させることができる。
【００５３】
又、上記実施形態においては、第一ケース部材４と第二ケース部材５とが接続部材７により接続されるものを説明したが、接続部材ではなく、回転軸が一本の蝶番であってもよい。さらには、第一ケース部材と第二ケース部材とは、蝶番により接続されていないものであってもよい。
【００５４】
第二ケース部材は、転写具のケースを構成する部材を有するリフィルの外壁であってもよい。すなわち、このようなリフィルは、外壁と、その外壁に回転可能に保持される供給リール及び巻き取りリールなどで構成されるものであってよい。供給リールに転写体が巻き付けられていることは、言うまでもない。
【００５５】
以下に、本発明の第二実施形態を図１１〜図２０により説明する。
【００５６】
第二実施形態は、第一実施形態とは異なり、リフィルであるカートリッジによりテープ（転写テープ）が供給される型式のものである。このため、転写ヘッドは第一ケース部材に一体に形成されておらず、カートリッジに一体に形成する構成である。
【００５７】
この実施形態の転写具は、図１１に示すように、供給リール１０２、巻き取りリール１０３及び転写ヘッド１０６を備えるカートリッジ１８０と、カートリッジ１８０を収納する第一ケース部材１０４と、第一ケース部材１０４をほぼ閉鎖する第二ケース部材１０５と、第一ケース部材１０４内に配置され供給リール１０２からの回転駆動力を巻き取りリール１０３に伝達する伝達機構を構成するギア１９０とを主要な構成要素としている。このような構成において、テープの転写物を被転写物に転写する際の操作及び作動は、上述の第一実施形態と同様であるので、その説明を省略する。
【００５８】
第一ケース部材１０４は、第二ケース部材１０５と組み合わさることにより、カートリッジ１８０を保持する容器として機能するもので、図１２〜図１５に示すように、主壁１０８と、その主壁１０８に一体に形成されて主壁１０８を取り巻く側壁１０９と、接続部材１０７の第一取付部１１０とを備えている。主壁１０８の内面には、カートリッジ１８０の供給リール１０２と巻き取りリール１０３とを回転し得るように支持する第一回転軸１１１及び第二回転軸１１２と、転写ヘッド１０６の基端部分に挿入される第一十字リブ１８１とが、主壁１０８に一体に形成してある。第一回転軸１１１と第二回転軸１１２とは略円筒形状に形成してあり、第二ケース部材１０５を閉じた際に、その先端に、第二ケース部材１０５に形成された軸受け凸部１１３が嵌る構造である。
【００５９】
第一ケース部材１０４の側壁１０９には、係合手段１１４を構成する前溝１１５及び後凸条１１６がそれぞれ、側壁１０９の前後部分、すなわち転写ヘッド１０６の近傍となる前方の第一係合部１８２と転写ヘッド１０６から遠く第二回転軸１１２に近い第二係合部１８３の二カ所に設けてある。第一係合部１８２における前溝１１５は側壁１０９の前部分の外面１０９ａに設けられ、第二係合部１８３における後凸条１１６は側壁１０９の後部分の内面１０９ｂに設けられるもので、図１５の（ｎ）〜（ｓ）に示すように、それぞれの断面形状は連続的に変化するように形成されている。すなわち、前溝１１５は、前端側部分では、図１５の（ｎ）に示すように、ほぼ矩形の断面形状であり、後端部分に近づくにしたがって、図１５の（ｂ）及び（ｃ）に示すように、第一ケース部材１０４の内側に位置する内側壁１１７が傾斜する断面形状になるよう形成してある。これに対して、後凸条１１６は、図１５の（ｑ）に示すように、後端側部分ではほぼ矩形の断面形状であり、前端部分に近づくにしたがって、図１５の（ｒ）及び（ｓ）に示すように、第一ケース部材１０４の外向きの外側壁１１８が傾斜する断面形状になるよう形成してある。
【００６０】
なお、側壁１０９は、第一ケース部材１０４の前端には形成してなく、第二ケース部材１０５を閉じた状態では、第一ケース部材１０４の前端に開口部分が形成されるように構成されている。この開口部分からカートリッジ１８０の延出板１８４が突出して、転写ヘッド１０６が位置するようになっている。
【００６１】
第一ケース部材１０４の側壁１０９の前溝１１５と後凸条１１６と間の中間位置には、操作部１１９を構成する第二ケース部材１０５の指掛け部１２２が嵌る切欠部１２０が形成してある。切欠部１２０は、平面視においてほぼ半円形状をしている。
【００６２】
第一取付部１１０は、接続部材１０７の厚みにほぼ等しい深さを有する取付凹部１２３を備えている。取付凹部１２３の前及び後内壁１２４，１２５には、接続部材１０７の第一ケース部材１０５側の軸部として機能する突起１２６，１２７が形成してある。
【００６３】
第二ケース部材１０５は、図１６〜図１８に示すように、第一ケース部材１０４を実質的に塞ぐ蓋壁１３５と、その蓋壁１３５に一体に形成されて第一ケース部材１０４の側壁１０９と重なり合う第一側壁１３６及び第二側壁１３７と、第一側壁１３６及び第二側壁１３７の中間に配置されて第一ケース部材１０４の切欠部１２０に嵌る指掛け部１２２と、接続部材１０７の第二取付部１３８と、接続部材１０７の回転を規制する回転規制片１２８とを備えている。指掛け部１２２は、切欠部１２０の形状に対応させてある。
【００６４】
第一係合部１８２を構成する第一側壁１３６の内面１３６ａには、係合手段１１４を構成する前凸条１４１が設けてあるとともに、第二係合部１８３を構成する第二側壁１３７の外面１３７ａには係合手段１１４を構成する後溝１４２が設けてある。前凸条１４１は、蓋壁１３５側の側壁１４３が第一側壁１３６の内面に対する角度を連続して変化させるように形成してある。具体的には、前凸条１４１の蓋壁１３５側つまり外側の側壁１４３は、図１８の（ｔ）、（ｕ）及び（ｖ）に示すように、その前端側においては第一側壁１３６の内面１３６ａにほぼ垂直に形成され、後方に向かうにつれて蓋壁１３５から遠ざかるように傾斜して形成される。一方、後溝１４２は、このような前凸条１４１とは反対に、図１８の（ｗ）、（ｘ）及び（ｙ）に示すように、蓋壁１３５とは反対側の側壁１４４が、その後端側においては溝底面に対してほぼ垂直に形成され、前方に向かうにつれて蓋壁１３５に近づくように傾斜して形成される。なお、第一ケース部材１０４の後凸条１１６の側壁１１８及び第二ケース部材１０５の前凸条１４１の側壁１４３と背向する側壁１４５，１４６はそれぞれ、後溝１４２及び前溝１１５と係合する際の操作力を緩和するために、主壁１０８及び蓋壁１３５から遠ざかるように傾斜している。
【００６５】
第二取付部１３８は、第一取付部１１０と同様に、接続部材１０７の厚みにほぼ等しい深さを有する取付凹部１４７を備えている。取付凹部１４７の前及び後内壁１４８，１４９には、接続部材１０７の第二ケース部材１０５側の軸部として機能する突起１５０，１５１が形成してある。
【００６６】
この第二取付部１３８を横切るようにして、接続部材１０７の回転を規制する回転規制片１２８が設けてある。回転規制片１２８は、上述の第一実施形態と同様に機能するものであって、第二ケース部材１０５を接続部材１０７に対して９０°を上回る角度を離して開いた状態から第二ケース部材１０５を閉める方向に回転させた際に、第二ケース部材１０５の回転を規制するものである。
【００６７】
このような第二ケース部材１０５においてさらに、第一ケース部材１０４の第一十字リブ１８１に対応して、蓋壁１３５の内面には第二十字リブ１８５が形成してある。この第二十字リブ１８５は、第一十字リブ１８１と同様に、その外形は横断面がほぼ十字形となるものである。第二十字リブ１８５は、後述するカートリッジ１８０の転写ヘッド１０６の基端部１８６の第一十字リブ１８１が挿入される端部とは反対側の端部に嵌るものである。
【００６８】
接続部材１０７は、軟質もしくは弾性体または剛性のある硬質の合成樹脂素材により形成される。接続部材１０７は、ほぼ長方形の板状部材からなり、その長方形状の平行な長辺に沿って第一回転軸部１５３及び第二回転軸部１５２を備えている。すなわち、接続部材１０７は、その内側面の中央部分が周囲より凹んでおり、周囲に段部を形成することにより第一回転軸部１５３と第二回転軸部１５２とを形成する構造になっている。
【００６９】
そして、第一回転軸部１５３の両端に形成される凹部１６０，１６１が第一ケース部材１０４の第一取付部１１０の突起１２６，１２７と係合することにより、また第二回転軸部１５２の両端に形成される凹部１６２，１６３が第二ケース部材１０５の第二取付部１３８の突起１５０，１５１と係合することにより、第一ケース部材１０４と第二ケース部材１０５とを相互に回転可能に接続するものである。使用時にあっては、接続部材１０７の第一回転軸部１５３と第二回転軸部１５２との間の表面を回転規制片１２８が接触しながら移動し、第一回転軸部１５３に回転規制片１２８が接触することにより第二ケース部材１０５の回転を規制するものである。
【００７０】
カートリッジ１８０は、図１９に示すように、供給リール１０２と、巻き取りリール１０３と、供給リール１０２と巻き取りリール１０３とを回転可能に支持する支持板１８７と、支持板１８７の前端に支持板１８７と一体に形成される転写ヘッド１０６とを備えている。転写ヘッド１０６は、転写ローラ１３０と、転写ローラ１３０を回転可能に支持する延出板１８４と、延出板１８４の基端を支持板１８１に固定する基端部１８６と、延出板１８４の先端に設けられて転写ローラ１３０にかけられるテープの進行方向に対して横方向の動きを規制する一対の規制板１８８とを備えている。なお、転写ローラ１３０は、不使用時、ヘッドカバー１５９により覆われるようになっている。
【００７１】
基端部１８６は、支持板１８７の前端部分に支持板１８７の表面に対してほぼ垂直に形成してあり、その内部に長手方向に延びる横断面ほぼ十字形の空洞部を備え、かつその横断面形状がほぼ円形となる外形を備えている。基端部１８６の空洞部には、第一ケース部材１０４の第一十字リブ１８１が嵌め込まれる。また、基端部１８６の空洞部とは反対の端部は、第二ケース部材１０５が閉じられた際に、第二ケース部材１０５の第二十字リブ１８５と係合するものである。したがって、カートリッジ１８０を第一ケース部材１０４に組み付けて第二ケース部材１０５を閉じると、カートリッジ１８０、特には転写ヘッド１０６の基端部１８６が第一十字リブ１８４と第二十字リブ１８５とにより位置決めされるものである。
【００７２】
このように、カートリッジ１８０が第一ケース部材１０４の中に入れられて第二ケース部材１０５を閉じると、基端部１８３が第一十字リブ１８４と第二十字リブ１８５とに係合して固定あるいは位置決めされるので、転写物を被転写物に転写する際にローラ１３０を介して延出板１８４に加わる力が、基端部１８３により遮断される。このため、使用時において、転写ヘッド１０６に上向きの力が作用しても、延出板１８４がその基端を回転中心にして回転しないため、転写物の被転写物への接触を良好に保つことができる。このため、転写物を精度よく転写することができる。
【００７３】
以上の構成において、転写物を被転写物に転写するために転写具を使用できる状態にある場合、つまり第一ケース部材１０４に対して第二ケース部材１０５を閉じている場合に、図２０の（ａ）に示すように第一係合部１８２においては、第一ケース部材１０４の側壁１０９の外側に第二ケース部材１０５の第一側壁１３６が重なり、かつ第二係合部１８３（図１９の（ｂ））においては、第一ケース部材１０４の側壁１０９の内側に第二ケース部材１０５の第二側壁１３７が重なるものである。このように側壁１０９と第一側壁１３６及び第二側壁１３７とが重なる状態にあっては、第一係合部１８２においては第一ケース部材１０４の前溝１１５と第二ケース部材１０５の前凸条１４１とが係合し、第二係合部１８３においては第一ケース部材１０４の後凸条１１６と第二ケース部材１０５の後溝１４２とが係合する。つまり、第一係合部１８２では第二ケース部材１０５の第一側壁１３６が第一ケース部材１０４の側壁１０９の外側に位置し、第二係合部１８３では第一ケース部材１０４の側壁１０９が第二ケース部材１０５の第二側壁１３７の外側に位置する。このように、操作部１１９の前後において、第一ケース部材１０４と第二ケース部材１０５との重なり方が相違しているので、第二ケース部材１０５が第一ケース部材１０４の内側あるいは外側に位置ずれすることを確実に防止することができる。
【００７４】
以上に説明した第一実施形態及び第二実施形態においては、第一ケース部材と第二ケース部材とを接続する接続部材つまりヒンジの回転軸が外側に突出することがなく、使用時に手に持った時の収まりがよく、使い勝手を良好にするものである。また、第一実施形態及び第二実施形態においては、平行な二本の回転軸線を有する接続部材を説明したが、接続部材はこのような二本の平行な回転軸線を有するものでなくてもよい。例えば接続部材は、二本の回転軸線が遠距離点において交わる、例えば平面視において回転軸線がほぼハの字もしくはＶ字の延長線上に回転軸線を有するものであってもよい。また、そのような二本の回転軸線の間に、接続部材を折り曲げることができるようにする構造を有するものであってもよい。さらには、接続部材を軟質素材により形成するものであってもよい。
【００７５】
その他、各部の具体的構成についても上記実施形態に限られるものではなく、本発明の趣旨を逸脱しない範囲で種々変形が可能である。
【図面の簡単な説明】
【００７６】
【図１】本発明の第一実施形態の使用時の状態を示す正面図。
【図２】同第一実施形態の第二ケース部材を開放した場合の正面図。
【図３】同第一実施形態の第一ケース部材を内側から見た場合の正面図。
【図４】同第一実施形態の第一ケース部材の平面図（ａ）及び底面図（ｂ）。
【図５】（ａ）は図３のａ−ａ線、（ｂ）は図３のｂ−ｂ線、（ｃ）は図３のｃ−ｃ線、（ｄ）は図３のｄ−ｄ線及び（ｅ）は図３のｅ−ｅ線に沿った端面図。
【図６】同第一実施形態の第二ケース部材を内側から見た正面図。
【図７】同第一実施形態の第二ケース部材の平面図及び底面図。
【図８】（ｆ）は図６のｆ−ｆ線、（ｇ）は図６のｇ−ｇ線、（ｈ）は図６のｈ−ｈ線、（ｋ）は図６のｋ−ｋ線及び（ｍ）は図６のｍ−ｍ線に沿った端面図。
【図９】同第一実施形態の接続部材の平面図（ａ）及び正面図（ｂ）。
【図１０】同第一実施形態のテープパスガイドの平面図（ａ）及び正面図（ｂ）。
【図１１】本発明の第二実施形態の使用時の状態を示す正面図（ａ）及び平面図（ｂ）。
【図１２】同第二実施形態の第二ケース部材を開放した場合の正面図。
【図１３】同第二実施形態の第一ケース部材を内側から見た場合の正面図。
【図１４】同第二実施形態の第一ケース部材の平面図（ａ）及び図１３のｚ−ｚ線に沿った断面図（ｂ）。
【図１５】（ｎ）は図１３のｎ−ｎ線、（ｏ）は図１３のｏ−ｏ線、（ｐ）は図１３のｐ−ｐ線、（ｑ）は図１３のｑ−ｑ線、（ｒ）は図１３のｒ−ｒ線及び（ｓ）は図１３のｓ−ｓ線に沿った端面図。
【図１６】同第二実施形態の第二ケース部材を内側から見た正面図。
【図１７】同第二実施形態の第二ケース部材の平面図及び底面図。
【図１８】（ｔ）は図１６のｔ−ｔ線、（ｕ）は図１６のｕ−ｕ線、（ｖ）は図１６のｖ−ｖ線、（ｗ）は図１６のｗ−ｗ線、（ｘ）は図１６のｘ−ｘ線及び（ｙ）は図１６のｙ−ｙ線に沿った端面図。
【図１９】同第二実施形態のカートリッジの平面図（ａ）及び正面図（ｂ）。
【図２０】同第二実施形態における第二ケース部材が閉じられた際の、第一係合部（ａ）及び第二係合部（ｂ）における係合状態を示す断面図。
【符号の説明】
【００７７】
１…テープ
２…供給リール
３…巻き取りリール
４…第一ケース部材
５…第二ケース部材
６…転写ヘッド
７…接続部材
１４…係合手段
２８…回転規制片
３１…腕部
３２…台部
３４…縦リブ
５３…第一回転軸部
５２…第二回転軸部
５５…取付ビーム部
５８…カバー位置決め部
５９…ヘッドカバー
６５…肉薄部
６６…貫通孔
６７…係止突起
６９…リール保持部
７０…案内片
１０４…第一ケース部材
１０５…第二ケース部材
１１４…係合手段
１８２…第一係合部
１８３…第二係合部
【図１】
2008290434.tif 000003
【図２】
2008290434.tif 000004
【図３】
2008290434.tif 000005
【図４】
2008290434.tif 000006
【図５】
2008290434.tif 000007
【図６】
2008290434.tif 000008
【図７】
2008290434.tif 000009
【図８】
2008290434.tif 000010
【図９】
2008290434.tif 000011
【図１０】
2008290434.tif 000012
【図１１】
2008290434.tif 000013
【図１２】
2008290434.tif 000014
【図１３】
2008290434.tif 000015
【図１４】
2008290434.tif 000016
【図１５】
2008290434.tif 000017
【図１６】
2008290434.tif 000018
【図１７】
2008290434.tif 000019
【図１８】
2008290434.tif 000020
【図１９】
2008290434.tif 000021
【図２０】
2008290434.tif 000022